(57)【要約】【課題】光走査装置における長尺曲面反射鏡の中央部分の振動を抑え光学的精度を増す。【解決手段】合成樹脂製で長尺の反射鏡５の中間部分に、剛性が高い別材料の支持部材２１を反射鏡５の構造材に固着して設け、その支持部材２１の端面を押圧ばね２３で圧接して支持することにより、反射鏡５の中間部分においても、反射鏡５の構造を大きくすることなく反射面１２の歪みを少なく抑えつつ振動に対して安定して支持できる。自由曲面反射鏡を用い光学的精度の要求される光走査装置においては、とりわけ有用である。【選択図】図３
2006221146.tif 000002
【特許請求の範囲】
【請求項１】
光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置であって、
前記反射鏡は、
その長手方向の両端それぞれ近傍に位置する２つの第1の取付部と、
その長手方向中間部分の第２の取付部とで前記ベースに位置決め支持されて取付けられ、
少なくとも前記第２の取付部は、
その剛性が前記反射鏡の構造材よりも高い別材料の支持部材が固着して設けられ、前記支持部材の下端面は前記ベースに当接し、上端面は押圧手段に圧接されて支持されたことを特徴とする光走査装置。
【請求項２】
光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置であって、
前記反射鏡は、
その断面形状が前記反射面の裏側の肉厚を薄くした略コの字型であり、
その長手方向の両端それぞれ近傍に位置する２つの第1の取付部と、
その長手方向中間部分の第２の取付部とで前記ベースに位置決め支持されて取付けられ、
少なくとも前記第２の取付部は、
その剛性が前記反射鏡の構造材よりも高い別材料の支持部材が固着して設けられ、前記支持部材の下端面は前記ベースに当接し、上端面は押圧手段に圧接されて支持されたことを特徴とする光走査装置。
【請求項３】
前記支持部材は、
雌ねじが形成された円柱部材と雄ねじが形成された軸棒とがねじ結合されたもので、
前記反射鏡の取付け高さ等の調整を可能としたことを特徴とする請求項１又は２に記載の光走査装置。
【請求項４】
画像信号に応じて可視画像を形成する画像形成装置であって、
変調された光の照射によってその表面上に変調情報が現われる感光体を備え、
その光線を前記画像信号に応じて変調せしめ、その変調された光線をもって前記感光体表面を照射しつつ走査し、前記感光体面上に画像を形成せしめる請求項１から３いずれか１項に記載の光走査装置を用いた画像形成装置。
【請求項５】
画像情報に基づく画像を出力する情報処理装置であって、
出力情報に基づいてその画像信号を発生する出力情報処理部を備え、
前記出力情報処理部が発生した画像信号に応じて画像を形成する請求項４に記載の画像形成装置を用いた情報処理装置。
【発明の詳細な説明】
【技術分野】
【０００１】
本発明は、レーザプリンタ、デジタル複写機などの、レーザ光を用いる電子写真方式の画像形成装置にあって、レーザ光源から発せられた光線を感光体表面へ照射しつつ走査させる光走査装置に関するものである。
【背景技術】
【０００２】
光走査装置において、その光学系は、一般に、レーザ光源からの光線を光偏向器であるポリゴンミラー（回転多面鏡）へ導く第１の結像光学系と、ポリゴンミラーによって偏向された光線を対象の被照射面である感光体表面上へ導く第２の結像光学系とで構成されている。
【０００３】
この第２の結像光学系は、レーザ光のスポットを被照射面上に点像として結像すると共に、その走査される軌跡（すなわち走査線）をうねりの無い直線状にし、かつスポットの走査速度を等速度にするもので、その光学的精度が画像形成装置において形成される画像の精度に大きく関わる光学系である。
【０００４】
そして、この第２の結像光学系に用いられる光学素子は、ポリゴンミラーによって偏向され走査される光束を扱うため、普通、その形状が走査方向に長い長尺である。
【０００５】
この光学素子としては、光学的な精度が取れ、性能が安定したガラスレンズがよく用いられてきている。ただ、レンズのような光透過型の光学素子は色収差の問題があり、またガラスは複雑な加工が必ずしも容易ではない。それゆえガラスレンズは複数枚組み合わされて用いられている。
【０００６】
また、色収差の問題が無い光反射型の光学素子を用いる方法もある。反射鏡は、その反射面を凹状の曲面とすること（このような反射鏡を曲面反射鏡と呼ぶ）で結像作用（正のパワー）を有する光学素子とすることができる。さらに、その曲面をいわゆる自由曲面とすること（このような反射鏡を自由曲面反射鏡と呼ぶ）で、この自由曲面反射鏡のみで第２の結像光学系を構成することが提案されている（例えば、特許文献１参照）。
【０００７】
ここで、自由曲面とは、例えば、図７に示す自由曲面反射鏡１のような、その長手方向を横断する面（ａ断面、ｂ断面、ｃ断面）での形状が反射面の長手方向に沿って徐々に異なる略Ｃ字型である。このような形状により、自由曲面反射鏡は、第２の結像光学系において、この一つで、レーザ光のスポットを被照射面上に点像として結像させ、かつ走査線をうねりの無い直線状とし、またスポットの走査速度を等速度にさせようとするものである。
【０００８】
なお、結像作用を有する反射曲面は、その形状の精度をレンズ以上に高くする必要があると共に、その必要精度を抑えようとすると反射面の形状はより長尺にせざるを得なくなる。
【０００９】
ところで、近年、合成樹脂（プラスチック）を素材とし型成型による光学素子が一定の品質で量産されるようになり、反射鏡についても、曲面反射鏡が実用されるようになってきた（例えば、特許文献２参照）。
【００１０】
特許文献２では、光透過型の光学素子（レンズ）であるトロイダルミラー５と共に、合成樹脂を素材とした曲面反射鏡である球面ミラー６を使用している。
【００１１】
この合成樹脂を構造材とする光学素子は、ガラスに比べ、外力に対して変形し易いので、反射鏡にあってはその反射面の形状歪みになることを抑えた取付けが必要とされる。そのため、画質への影響が比較的目立ちにくい所である反射鏡の長手方向両端近傍を押さえて取付けられることが多い。
【００１２】
特許文献２では、その図１に示されるように、球面ミラー６は、その両端がベースプレート１０で支えられ板ばね１５で押さえられて、取付けられている。
【特許文献１】特開２００２−１４８５３９号公報（第４頁から第５頁、図１、図２）
【特許文献２】特開平５−３４６１７号公報（第３頁、図１、図２）
【発明の開示】
【発明が解決しようとする課題】
【００１３】
しかしながら、特許文献２に示されるような合成樹脂を構造材とする反射鏡およびその取付け方法では、反射鏡の長手方向中間部分は突起と穴とによって水平方向の位置規制を行っているだけで高さ方向には不安定である。そして、その部分の振動を抑え安定させるためには、板ばね等で押さえるのが効果的であるが、反射鏡のような光学素子を樹脂成形で作成するためには、精度を保つために薄肉構造にするのが一般的である。したがって、わずかな押圧であっても反射面の変形や歪みとなって光学的性能・精度を損ね、形成画像の画質の劣化となって目立ちやすい。
【００１４】
ことに自由曲面反射鏡のように、反射面の取付けも含めた位置・形状の精度がより必要とされるものにあっては、反射面の歪みを抑えつつ、かつ、その振動を抑える取付けが、結像光学系を成すために不可欠である。
【００１５】
そして、このような影響を抑えようとすると、反射鏡の構造が大きくなりかねない。
【００１６】
また、反射鏡の取付け角度などがベースプレートによって決められるので、ベースプレートにおいても精度の高い成型・加工が不可欠である。
【００１７】
本発明は、このような従来の課題を解決するものであり、反射鏡の構造を大きくすることなく、その長手方向中間部分における歪と振動とを抑えることにより、精密かつ容易に取付けが行える反射鏡を備えた光走査装置の提供を目的とする。
【課題を解決するための手段】
【００１８】
本発明は、上記目的を達成するために、光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置において、前記反射鏡は、その長手方向の両端それぞれ近傍に位置する２つの第1の取付部と、その長手方向中間部分の第２の取付部とで前記ベースに位置決め支持されて取付けられ、少なくとも前記第２の取付部は、そこにその剛性が前記反射鏡の構造材よりも高い別材料の支持部材が固着して設けられ、前記支持部材の下端面は前記ベースに当接し、上端面は押圧手段に圧接されて支持されたものとする。
【００１９】
また、光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置であって、前記反射鏡は、その断面形状が前記反射面の裏側の肉厚を薄くした略コの字型であり、その長手方向の両端それぞれ近傍に位置する２つの第1の取付部と、その長手方向中間部分の第２の取付部とで前記ベースに位置決め支持されて取付けられ、少なくとも前記第２の取付部は、その剛性が前記反射鏡の構造材よりも高い別材料の支持部材が固着して設けられ、前記支持部材の下端面は前記ベースに当接し、上端面は押圧手段に圧接されて支持されたものとしてもよい。
【発明の効果】
【００２０】
本発明は、光走査装置において、その反射鏡の取付部に反射鏡の構造材とは別材料の剛性の高い支持部材を固着して設け、その支持部材をその両端から挟み込む形で支持して反射鏡を取付けることで、反射鏡の構造を大きくすることなく、その長手方向中間部分における歪と振動とを抑えた精密かつ容易に取付けが行える反射鏡によって、光走査装置の光学的精度をより高く安定させることができる。
【００２１】
また、その反射鏡の断面形状を反射面の裏側の肉厚を薄くした略コの字型とすることで、反射鏡をその反射面の形状が精度よく樹脂成形でき、その上、その取付けにおいても反射鏡の歪と振動とが抑えられた、光学的精度をより高く安定させた光走査装置が提供できる効果を奏する。
【発明を実施するための最良の形態】
【００２２】
本発明の実施の第1の形態は、光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置において、前記反射鏡は、その長手方向の両端それぞれ近傍に位置する２つの第1の取付部と、その長手方向中間部分の第２の取付部とで前記ベースに位置決め支持されて取付けられ、少なくとも前記第２の取付部は、そこにその剛性が前記反射鏡の構造材よりも高い別材料の支持部材が固着して設けられ、前記支持部材の下端面は前記ベースに当接し、上端面は押圧手段に圧接されて支持されたものである。
【００２３】
本実施形態によって、反射鏡の取付部に、反射鏡の構造材とは別材料の剛性の高い支持部材を固着して設け、その支持部材をその両端から挟み込む形で支持することで、反射鏡の長手方向中間部分においても、反射鏡の構造材に直接荷重を加えることなく支持でき、反射鏡の構造を大きくすることなく、反射鏡に掛かる荷重によって発生する反射面の歪みを少なく抑えつつ、かつ、振動に対して強固な取付けが行え、振動の影響を抑え、光走査装置の光学的精度をより安定させることができる。
【００２４】
本発明の実施の第２の形態は、光線を発生する光源と、前記光線を走査させる光偏向器と、前記走査される光線のスポットを結像させる正のパワーを持った曲面形状の反射面を有する反射鏡と、前記の光源、光偏向器、および反射鏡が取付けられるベースとを備えた光走査装置であって、前記反射鏡は、その断面形状が前記反射面の裏側の肉厚を薄くした略コの字型であり、その長手方向の両端それぞれ近傍に位置する２つの第1の取付部と、その長手方向中間部分の第２の取付部とで前記ベースに位置決め支持されて取付けられ、少なくとも前記第２の取付部は、その剛性が前記反射鏡の構造材よりも高い別材料の支持部材が固着して設けられ、前記支持部材の下端面は前記ベースに当接し、上端面は押圧手段に圧接されて支持されたものである。
【００２５】
本実施形態によって、その反射鏡の断面形状を反射面の裏側の肉厚を薄くした略コの字型とし、また、反射鏡の取付部に、反射鏡の構造材とは別材料の剛性の高い支持部材を固着して設け、その支持部材をその両端から挟み込む形で支持することで、反射鏡をその反射面の形状が精度よく樹脂成形でき、その上、その取付けにおいても、反射鏡の長手方向中間部分ででも、反射鏡の構造材に直接荷重を加えることなく支持でき、反射鏡の構造を大きくすることなく、反射鏡に掛かる荷重によって発生する反射面の歪みを少なく抑えつつ、かつ、振動に対して強固な取付けが行え、振動の影響を抑え、光走査装置の光学的精度をより安定させることができる。
【００２６】
本発明の実施の第３の形態は、前記支持部材は、雌ねじが形成された円柱部材と雄ねじが形成された軸棒とがねじ結合された構成で、前記反射鏡の取付け高さ等の調整を可能としたものである。
【００２７】
本実施形態によって、その支持部材のねじを回転することにより、反射鏡の取付けの高さ・傾きを簡単に調整することができる。反射鏡の取付けが調整できることでベースの成型・加工の精度によらずその取付け精度がより高められ、光走査装置の光学的精度をより高くすることができる。
【００２８】
本発明の実施の第４の形態は、画像信号に応じて可視画像を形成する画像形成装置において、変調された光の照射によってその表面上に変調情報が現われる感光体を備え、その光源が前記画像信号に応じて変調され、その変調された光線によって前記感光体表面を走査して照射し、前記感光体面上に画像を形成せしめる第１の形態または第２の形態の光走査装置を用いるものである。
【００２９】
本実施形態により、取付けによる変形・歪を抑えつつ振動の影響を抑え、また取付け精度を高めた反射鏡を備える光走査装置を用いることで、画像形成装置において、形成画像の品質をより高め、安定にすることができる。
【００３０】
本発明の実施の第５の形態は、画像情報に基づく画像を出力する情報処理装置において、出力情報に基づいてその画像信号を発生する出力情報処理部を備え、前記出力情報処理部が発生した画像信号に応じて画像を形成する第３の実施形態の画像形成装置を用いるものである。
【００３１】
本実施形態により、取付けによる変形・歪を抑えつつ振動の影響を抑え、また取付け精度を高めた反射鏡を備える光走査装置で形成画像の精度を高め、安定にした画像形成装置によって、プリンタ、複写機、ファクシミリなどの情報処理装置における出力画像の解像度をより高めることができる。
【実施例】
【００３２】
以下、本発明の実施例について図面を用いて説明する。
【００３３】
（実施の形態１）
図１は本発明による光走査装置を、図２はその主要部分を示す。
【００３４】
光走査装置は、ベース２に、光源ユニット３と、ポリゴンミラー４と、反射鏡５とを備える。
【００３５】
光源ユニット３は、光源として、レーザ光を発光する半導体レーザが設けられたレーザ駆動回路基板（半導体レーザと呼ぶ）６を備える。
【００３６】
コリメータレンズ７、主凹シリンダレンズ８、副凸シリンダレンズ９、及び主凸シリンダレンズ１０は、半導体レーザ６からのレーザ光ビームを後述するポリゴンミラー４の反射面（偏向面）へ導くと共に、レーザ光ビームのスポットをその反射面（偏向面）上に線像として形成する第１の結像光学系を構成している。
【００３７】
ポリゴンミラー４は、複数の反射面（偏向面）を有する回転多面鏡であり、モータ４ａによって回転駆動される。ポリゴンミラー４は、いずれかの反射面に入射されるビームを後述する反射鏡５へ向けて反射・偏向し、ポリゴンミラー４の回転により、反射・偏向されるビームを主走査方向に、ビーム１１ａ、１１ｂ、１１ｃの順に走査する（走査されている状態のビームを走査ビームと呼ぶ。なお、説明の便宜上、図中では３本のビーム１１ａ、１１ｂ、１１ｃを併記して図示しているが、実際には１本のビームが順に走査される）。
【００３８】
反射鏡５は、反射面１２を有し、ポリゴンミラー４からの入射される走査ビームを反射面１２で反射し、図1および図２のそれぞれ向かって左側へ向けて出射し、被照射面に照射する。
【００３９】
次に、以下、反射鏡５の構成およびその取付部について説明する。
【００４０】
図１および図２において、反射鏡５は、合成樹脂を素材とし一体成型によって製作されたものである。そして、その一面は、反射面１２として、そこに金属層が形成され、鏡面を成している。
【００４１】
反射面１２の形状は、正のパワーを有する凹状の曲面で、図７に示す自由曲面反射鏡１と同様の、長手方向に対する横断面での形状が略Ｃ字型になっていると共に縦断面での形状も略Ｃ字型になっている３次元曲面で、しかも、横断面形状が長手方向に一定でないいわゆる自由曲面に形成されている。
【００４２】
これによって、反射面１２は、前述したように、ポリゴンミラー４からの走査ビームを被照射面へ反射すると共に、あわせて、これのみによって、レーザ光のスポットを被照射面上に点像として結像すると共に、その走査線をうねりの無い直線状にし、かつスポットの走査速度を等速度にする第２の結像光学系を成している。
【００４３】
次に、反射鏡５の取付部について、図３を用いて説明する。
【００４４】
反射鏡５は、樹脂成形で作成する場合に、その反射面１２の形状が精度よく成形できるように、反射面１２の裏側の肉厚を薄くした略コの字型の断面形状となっており、そして、その長手方向の両端それぞれ近傍に位置する２つの第１の取付部と、長手方向の中央部に位置する第２の取付部とにおいて、ベース２に支持されて、取付けられている。
【００４５】
これらの３箇所は、それぞれを頂点として三角形を成す位置に配置している。
【００４６】
第２の取付部は、支持部材２１が、反射面１２の反射作用面の裏側位置にあって、反射面１２に略平行方向に反射鏡５の構造材である上側リブ３１と下側リブ３２を貫通し、反射鏡５の構造材に固着された構成としている。
【００４７】
この支持部材２１の材料は、その剛性が反射鏡５の構造材である合成樹脂よりも高いもので、ここでは金属としている。
【００４８】
また、支持部材２１の形状は、ここでは、円柱状としている。
【００４９】
そして、支持部材２１は、ここでは、反射鏡５を成型する際に支持部材２１を反射鏡の構造材となる合成樹脂と一体成型し、構造材に固着している。
【００５０】
一方、ベース２は、反射鏡の取付部に対向して、第２の取付部を支持する箇所に、支持台座２２と押圧ばね２３とを備える。
【００５１】
反射鏡５は、支持部材２１の下端面をこの支持台座２２が受ける形で置かれ、さらに、支持部材２１の上端面を押圧ばね２３（押圧手段）に圧接されて取付けられている。すなわち、反射鏡５の支持部材２１は、支持台座２２と押圧ばね２３とで挟み込まれている。
【００５２】
支持台座２２は、ベース２に設けた円柱状の台座である。支持台座２２の上端面は、対向する支持部材２１の下端面よりも小さく、反射鏡５の構造材に接触しない大きさである。そして、必要に応じて、支持部材２１の下端面と支持台座２２とは前後左右に位置ずれしないように凹凸結合されている。
【００５３】
また、押圧ばね２３は、反射鏡５の構造材に接触しない大きさで、支持部材２１の上端面を押圧している。
【００５４】
以上、第２の取付部について述べたが、第１の取付部についても、ここでは、第２の取付部と同様としている。ただし、第１の取付部は、反射面１２の反射作用面より外側にあるため、強度が増すよう厚肉構造としている。
【００５５】
上記の構成において、合成樹脂を構造材とする反射鏡５は、３箇所の取付部で、その取付部に固着された金属製の支持部材２１がベース２に支持されて、取付けられている。
【００５６】
このように、合成樹脂などを素材として成型された反射鏡５の構造材よりその剛性が高い材料を用いた支持部材２１を反射鏡５の構造材に貫通する形で固着して、その支持部材２１をその軸方向の両端から挟み込んで支持することで、支持押圧を反射鏡５の構造材に直接加えることなくその支持ができる。
【００５７】
これにより、反射鏡の構造を大きくすることなく、反射鏡の取付けによる構造材への荷重を抑え、その荷重によって発生する構造材の変形、すなわち反射面の歪みを少なく抑えつつ、確実に支持できるようになる。
【００５８】
このような支持・取付けによって、反射鏡の長手方向中間部分においても、反射面の歪みを少なく抑えつつ、かつ、振動に対して強固な取付けが行え、振動の影響を抑え、光学的精度をより安定させることができる。特に、本実施例のように、反射鏡５を薄肉構造とし、その断面が略コの字型であるような場合に顕著な効果を発揮する。
【００５９】
このことは、自由曲面反射鏡を用い光学的精度の要求される光走査装置においては、とりわけ有用である。
【００６０】
なお、支持部材２１は、その材料が、ここでは金属としたが、セラミックなどであってもよい。
【００６１】
また、その形状が、ここでは円柱状としたが、その横断面の形状が柱の縦方向に一様（いわゆる柱の太さが一定）である物に限らず、反射鏡５の構造材を貫通する略柱状の物であればよい。
【００６２】
そして、反射鏡５の構造材を貫通するとは、支持部材２１の周側面の全てが構造材に囲まれた形に限らず、支持部材２１の周側面の一部が反射鏡５の構造材に接した上で、支持部材２１の上下の端面が露呈しておればよい。
【００６３】
また、第２の取付部は、ここでは１箇所としたが、取付け位置精度を取った上で、２箇所以上としても構わない。このことで、反射鏡の長手方向中間部分の振動をより抑え、安定させることができる。
【００６４】
また、支持台座２２は、ここでは円柱状としたが、反射鏡５を取付けた際に、反射鏡５の構造材に接触しない大きさであれば、その形状は任意である。
【００６５】
また、第１の取付部は、ここでは第２の取付部と同じとしたが、第２の取付部と異なる構成であってもよい。
【００６６】
例えば、反射面からの距離を長く取ることができ、取付けによるその変形や歪みが反射面へ及ぼす影響が許容できる程度であれば、反射鏡の構造材をその長手方向両端面において左右および上下の方向から挟み込む形で位置決めしてもよい。
【００６７】
また、反射鏡５の形状は、反射面１２の形状精度が保たれる範囲で、反射面１２の裏側の肉厚を厚くしてもよく、図４に示すように中実構造としてもよい。
【００６８】
（実施の形態２）
本実施の形態２は、反射鏡５の第２の取付部における支持部材、ならびに、それを支持するベース２の支持台座および押圧ばねのみが異なり、その他は図４に示した構成での実施の形態１と同じである。
【００６９】
以下、本実施の形態における反射鏡５の取付部について、図５を用いて説明する。
【００７０】
本実施の形態での第２の取付部における支持部材２４は、その軸方向に貫通する孔を有し、その孔の内側面に雌ねじが形成された円柱部材２５と、雄ねじが形成された軸棒２６とがねじ結合された構成としている。
【００７１】
軸棒２６は、その材料が金属で、その軸の上端面にはねじ回し用の溝が形成されている。
【００７２】
円柱部材２５にねじ結合された軸棒２６は、円柱部材２５の孔を通してそれを回転することができ、その回転によって反射鏡の取付け高さが可変できる。
【００７３】
一方、ベース２は、反射鏡の取付部に対向して、第２の取付部を支持する箇所に、支持台座２７と押圧ばね２８とを備える。
【００７４】
反射鏡５は、円柱部材２５にねじ結合された軸棒２６の下端面をこの支持台座２７が受ける形で置かれ、さらに、円柱部材２５の上端面を押圧ばね２８（押圧手段）に圧接されて取付けられている。すなわち、反射鏡５の円柱部材２５は、ねじ結合された軸棒２６と共に、支持台座２７と押圧ばね２８とで挟み込まれている。
【００７５】
支持台座２７は、ベース２に設けた円柱状の台座で、軸棒２６の下端面に当接して支えている。
【００７６】
また、押圧ばね２８は、円柱部材２５の孔にはまり込むとなく、かつ反射鏡５の構造材に接触しない大きさで、円柱部材２５の上端面を押圧している。
【００７７】
上記の構成において、合成樹脂を構造材とする反射鏡５は、３箇所の取付部で、その取付部に固着された金属製の支持部材がベース２に支持されて、取付けられ、そして、長手方向中央の取付部は互いにねじ結合されている円柱部材２５と軸棒２６との嵌合の長さが可変できる。
【００７８】
このように、反射鏡の長手方向中間部分において、合成樹脂などを素材として成型された反射鏡５の構造材よりその剛性が高い材料を用いた支持部材２４を反射鏡の構造材に貫通する形で固着して、その円柱部材２５およびそれにねじ結合され、円柱部材２５と同様に剛性の高い軸棒２６をそれらの軸方向の両端から挟み込んで支持することで、支持押圧を反射鏡５の構造材に直接加えることなくその支持ができると共に、その取付部のベースからの距離が調節可能となる。
【００７９】
これにより、反射面の長手方向中間部分のベースからの取付け高さが調節でき、反射面の面倒れ角度が可変・調節できるようになる。
【００８０】
このことは、自由曲面反射鏡を用い光学的精度の要求される光走査装置においては、より精密な調節が可能となってとりわけ有用である。
【００８１】
（実施の形態３）
本発明の実施の第３の形態は、画像信号に応じて可視画像を形成する画像形成装置である。
【００８２】
本画像形成装置は、画像形成部、現像手段および定着手段とを備える。
【００８３】
図６は、本画像形成装置の画像形成部を示す。
【００８４】
光走査装置２９は、本発明の実施の形態１または実施の形態２に示す光走査装置で、レーザ光を入力される画像信号によって変調して、被照射面である感光体３０に照射しつつ走査する。
【００８５】
感光体３０は、変調された光の照射によってその表面上に潜像を形成する。
【００８６】
形成された潜像は、図示しない現像手段、定着手段によって、可視画像に形成される。
【００８７】
上記の構成において、取付けによる変形・歪を抑えつつ振動の影響を抑え、また取付け精度を高めた反射鏡を備えた光走査装置によって、感光体上に画像形成が行われる。
【００８８】
これにより、画像形成装置における形成画像の品質をより高め、安定にすることができる。
【００８９】
（実施の形態４）
本発明の実施の第４の形態は、画像情報に基づく画像を出力する情報処理装置である。
【００９０】
本情報処理装置は、出力情報処理部と画像形成装置とを備える。
【００９１】
出力情報処理部は、出力情報に基づいてその画像信号を発生する。
【００９２】
画像形成装置は、本発明の実施の形態３に示す画像形成装置で、画像信号に応じて可視画像を形成する。
【００９３】
上記の構成において、取付けによる変形・歪を抑えつつ振動の影響を抑え、また取付け精度を高めた反射鏡を備える光走査装置で形成画像の精度を高め、安定にした画像出力が行える。
【００９４】
これにより、プリンタ、複写機、ファクシミリなどの情報処理装置における出力画像の解像度をより高めることができる。
【産業上の利用可能性】
【００９５】
本発明の光走査装置および画像形成装置は、レーザプリンタ、レーザファクシミリ、デジタル複写機等などの、レーザ光を用いる電子写真方式での画像出力機能を有する情報処理装置として利用することが可能である。
【図面の簡単な説明】
【００９６】
【図１】本発明の実施の形態に係る光走査装置の平面図
【図２】本発明の実施の形態に係る光走査装置の要部の斜視図
【図３】（ａ）は本発明の実施の形態１における反射鏡の取付けを説明する平面図、（ｂ）は同正面図、（ｃ）は同側面図
【図４】（ａ）は本発明の実施の形態１における他の反射鏡の取付け例を示す平面図、（ｂ）は同正面図、（ｃ）は同側面図
【図５】（ａ）は本発明の実施の形態２における反射鏡の取付けを説明する正面図、（ｂ）は同側面図
【図６】本発明の実施の形態３に係る画像形成装置における画像形成部の斜視図
【図７】（ａ）は自由曲面から成る反射面を有する反射鏡の斜視図、（ｂ）は同断面図
【符号の説明】
【００９７】
２    ベース
３    光源ユニット
４    ポリゴンミラー（回転多面鏡）
５    反射鏡
６    レーザ駆動回路基板（半導体レーザ）
１２    反射面
２１、２４    支持部材
２２、２７    支持台座
２３、２８    押圧ばね
２５    円柱部材
２６    軸棒
２９    光走査装置
３０    感光ドラム
３１    上側リブ
３２    下側リブ
【図１】
2006221146.tif 000003
【図２】
2006221146.tif 000004
【図３】
2006221146.tif 000005
【図４】
2006221146.tif 000006
【図５】
2006221146.tif 000007
【図６】
2006221146.tif 000008
【図７】
2006221146.tif 000009